(57)【特許請求の範囲】
【請求項１】
筒形状にドアを貫通するように両側面が開放され、ドアに固定設置される胴体ハウジングと；
前記胴体ハウジングの内部でスライディング可能になるように設置され、外部から加えられる力によって直線方向に運動し、少なくとも１つの傾斜面と、前記傾斜面に対応する部分に前記直線運動方向と直角方向に設けられる胴体移動空間とを備える胴体と；
前記胴体ハウジングの開放された両側を通じて前記胴体の両側に連結され、ドアの両側面の外部にそれぞれ突出する取っ手と；
一側の端部が、前記胴体移動空間を通過し、前記傾斜面に沿って前記胴体の移動方向に対して垂直移動するように結合され、他側が弾性体を介して弾性的に前記胴体ハウジングの外側に支持され、前記胴体の直線運動に連動して前記胴体の運動方向に直角方向に運動するラッチボルト組立体と；を含み、  
前記胴体の胴体移動空間は、
前記胴体ハウジングの内部でスライディング移動する方向に平行にスロットで形成された第１胴体移動空間と；
前記第１胴体移動空間と連結されるように形成され、前記胴体ハウジングの内部でスライディング移動する方向に対して傾斜するようにスロットで形成され、内部面が前記傾斜面として使用される第２胴体移動空間と；を含み、
前記胴体に外部の力が作用すれば、前記ラッチボルト組立体の弾性体に弾性力が蓄積され、前記胴体に加えられる外部の力が除去されるとき、前記弾性体に蓄積された弾性力によって前記胴体とラッチボルト組立体は原位置に復帰することを特徴とする閉鎖型安全ドアロック。
【請求項２】
ラッチボルト組立体は、
前記胴体及び前記胴体ハウジングを貫通し、移動可能に設置される連結軸と；
前記連結軸の一側に結合され、前記胴体の直線運動時に傾斜面と接触しながら連結軸の軸方向に移動し、前記連結軸を前記胴体の運動方向に対して直角方向に移動させるスライダーと；
前記連結軸の他側を弾性的に支持し、前記胴体に加えられる外部の力が除去されるとき、前記胴体及び前記ラッチボルト組立体を原位置に復帰させるための復元力を提供する弾性体と；
前記連結軸の他側の端部に設置され、前記弾性体の復元力によって連結軸の軸方向に往復運動し、ドアのロックまたは開放状態を維持するラッチボルト；
を含むことを特徴とする請求項１に記載の閉鎖型安全ドアロック。
【請求項３】
前記胴体移動空間は、その断面が楕円形または矩形の形状よりなることができ、その幅は、連結軸の直径より大きく、その長さは、連結軸変位の２倍以上で構成されることを特徴とする請求項１に記載の閉鎖型安全ドアロック。
【請求項４】
前記傾斜面は、単数傾斜面または互いに対向する一対の傾斜面よりなり、相互所定角度を成すように一端が互いに接することを特徴とする請求項１に記載の閉鎖型安全ドアロック。
【請求項５】
前記一対の傾斜面は、Ｖ字状切欠溝または逆Ｖ字状突出部よりなることを特徴とする請求項４に記載の閉鎖型安全ドアロック。
【請求項６】
単数傾斜面が成す角度は、１５゜〜７５゜であり、前記一対の傾斜面が成す角度は、３０゜〜１６０゜であることを特徴とする請求項４に記載の閉鎖型安全ドアロック。
【請求項７】
前記スライダーは、前記傾斜面と接触する部分が弧形状よりなることを特徴とする請求項２に記載の閉鎖型安全ドアロック。
【請求項８】
前記連結軸の変位距離は、傾斜面の傾斜角サイズに反比例し、前記胴体の傾斜面の初期位置と頂点位置の高さに比例することを特徴とする請求項２に記載の閉鎖型安全ドアロック。
【請求項９】
前記弾性体を収容した状態で前記弾性体が収縮されれば、ラッチボルトを同時に内部に収容するラッチケースをさらに含むことを特徴とする請求項２に記載の閉鎖型安全ドアロック。
【請求項１０】
前記胴体は、
第１取っ手が連結される第１面と；
前記第１面に対向して第２取っ手が連結される第２面と；
前記第１面及び第２面と隣合う第３面と；
前記第３面に対向する第４面と；
前記第３面及び第４面と隣合う第５面と；
前記第５面に対向する第６面と；を含み、
前記第１胴体移動空間は、前記第３面及び第４面を垂直で貫通して形成され、前記第２胴体移動空間は、前記第５面及び第６面を貫通して形成されることを特徴とする請求項１に記載の閉鎖型安全ドアロック。
【請求項１１】
前記第２胴体移動空間は、一字形状で形成されることを特徴とする請求項１０に記載の閉鎖型安全ドアロック。
【請求項１２】
前記胴体は、
前記胴体移動空間が形成され、前記第１取っ手が連結される主胴体と；
前記主胴体と一体に形成され、前記第２取っ手が連結される補助胴体と；
を含むことを特徴とする請求項１１に記載の閉鎖型安全ドアロック。
【請求項１３】
前記第２胴体移動空間の両端部に前記ラッチボルト組立体が位置するとき、前記ラッチボルト組立体がドアをロックまたは開放状態に変換させることを特徴とする請求項１２に記載の閉鎖型安全ドアロック。
【請求項１４】
前記第２胴体移動空間は、少なくとも１つの屈曲部を有することを特徴とする請求項１１に記載の閉鎖型安全ドアロック。
【請求項１５】
前記第１及び第２胴体移動空間の両端部の位置は、実質的に同一であることを特徴とする請求項１１に記載の閉鎖型安全ドアロック。
【請求項１６】
前記ラッチボルト組立体は、
前記胴体の第２胴体移動空間に設置され、前記第２胴体移動空間に沿って移動し、前記第１及び第２移動空間が会う部分に締結孔が形成されたスライダーと；
前記胴体及び前記胴体ハウジングを貫通し、移動可能に設置され、且つ前記胴体の第１胴体移動空間を通過して設置され、前記スライダーの締結孔に固定される連結軸と；
前記連結軸の他側を弾性的に支持し、前記胴体に加えられる外部力が除去されるとき、前記胴体及び前記ラッチボルト組立体を原位置に復帰させるための復元力を提供する弾性体と；
前記連結軸の他側の端部に設置され、前記弾性体の復元力によって連結軸の軸方向に往復運動し、ドアのロックまたは開放状態を維持するラッチボルトと；
を含むことを特徴とする請求項１２に記載の閉鎖型安全ドアロック。
【請求項１７】
前記スライダーは、
前記締結孔が形成されたスライダーロッドと；
前記スライダーロッドの両端部に結合され、前記胴体の第２胴体移動空間の傾斜面に沿って移動する一対のベアリングと；を含むことを特徴とする請求項１６に記載の閉鎖型安全ドアロック。
【請求項１８】
胴体ハウジングの内部でスライディング可能になるように設置され、外部から加えられる力によって直線方向に運動し、少なくとも１つの傾斜面と、前記傾斜面に対応する部分に前記直線運動方向と直角方向に設けられる胴体移動空間とを備える胴体と；
一側の端部が、前記胴体移動空間を通過し、前記傾斜面に沿って前記胴体の移動方向に対して垂直移動するように結合され、他側が弾性体を介して弾性的に前記胴体ハウジングの外側に支持され、前記胴体の直線運動に連動して前記胴体の運動方向に直角方向に運動するラッチボルト組立体と；を含み、
前記胴体に外部の力が作用すれば、前記ラッチボルト組立体の弾性体に弾性力が蓄積され、前記胴体に加えられる外部の力が除去されるとき、前記弾性体に蓄積された弾性力によって前記胴体とラッチボルト組立体は原位置に復帰することを特徴とする安全ドアロック用閉鎖型力伝達器具。
【発明の詳細な説明】
【技術分野】
【０００１】
本発明は、安全ドアロックに関し、特に、ラッチボルト挿入溝に挿入されるラッチボルトの挿入深さを調節することができ、安全性が向上し、構成部品が簡単で、組立生産性に優れていて、耐久性に優れた閉鎖型力伝達器具及びそれを利用した安全ドアロックに関する。
【背景技術】
【０００２】
ドアロックは、一般的にラッチボルトがドア枠に形成されているラッチボルト挿入溝に挿入されることによって、ロック状態を維持し、この際、ラッチボルト挿入溝に挿入されるラッチボルトの深さが１５ｍｍ程度であって、その深さが浅い。このようなラッチボルトの挿入深さを有するドアロックは、ドライバーのような工具を使用してラッチボルトをラッチボルト挿入溝から強制的に離脱させて、容易にドアを開くことができるので、二重のロック装置が必要である。
【０００３】
もし、ラッチボルトのラッチボルト挿入溝への挿入深さを、例えば、２０ｍｍ以上に深くすれば、このような問題を解決することができるが、ドアを開くために、ドアの取っ手を回転させなければならない従来の円筒状またはチューブラー型ドアロックでは、ドアの取っ手の回転角度を大きくしなければならないので、ドアを開くことが不便である。
【０００４】
一方、従来の円筒状またはチューブラー型ドアロックでのドア開閉は、ドアの取っ手を回転させた状態でドアを押すか、または引く力を加える場合、ドア開閉が可能である。したがって、正常人だけでなく、乳児、障がい者、患者など身体の動きが不自然であるか、または挙動が不便な人の場合には、ドア開閉が容易ではない。
【０００５】
したがって、ドア開閉が容易になるように、ドアの取っ手を押したり引いたりして、ドアを開閉するプッシュプルドアロックがあるが、このような従来のドアロックは、部品数が多くて、構造が複雑で、多くの製造費用を必要とし、現在使用中の円筒状またはチューブラー型ドアロックをプッシュプルドアロックに交替するとき、ドアに別途の改造作業が必要であるという短所がある。
【０００６】
また、前記従来のドアロックは、その構造上、ラッチボルト挿入溝に対するラッチボルトの挿入深さを一定深さ以上に大きくすることができないので、安全性が低く、したがって、二重ロック装置を必要とする場合が発生する。
【０００７】
また、従来のプッシュプルドアロックは、その構造が互いに異なっているので、使用されるドアの取っ手が専用に設計されることが必要であるが、希望するデザインのドアの取っ手があっても、設置しようとするドアロックに適していない場合には、使用することができない。
【発明の概要】
【発明が解決しようとする課題】
【０００８】
したがって、本発明の目的は、前述したような問題点を解決するために、ラッチボルト挿入溝へのラッチボルトの挿入深さを深くすることによって、安全性が高くて、二重ロック装置を必要としない力伝達器具及びそれを利用した安全ドアロックを提供することにある。
【０００９】
また、本発明の他の目的は、構成部品数が少なくて、製作工程が単純で、従来のドアロックに追加的な改造を行うことなく、容易に装着することができる力伝達器具及びそれを利用した安全ドアロックを提供することにある。
【００１０】
さらに、本発明のドアロックは、従来に使用されているドアロックの取っ手を含んで多様な形態のドアロック取っ手を採用することができ、デザイン選択の幅が広い力伝達器具及びそれを利用した安全ドアロックを提供することにある。
【課題を解決するための手段】
【００１１】
上記目的を達成するために、本発明の一様態によれば、筒形状にドアを貫通するように両側面が開放された胴体ハウジングと；前記胴体ハウジングの内部にスライディングするように設置され、外部から加えられる力によって直線方向に運動し、少なくとも１つの傾斜面と、前記傾斜面に対応する部分に直線運動方向と直角方向に設けられる胴体移動空間とを備える胴体と；前記胴体ハウジングを通じて前記胴体に連結され、ドアの両側面の外部にそれぞれ突出する取っ手と；一側の端部が、前記胴体移動空間を通過し、前記傾斜面に沿って胴体の移動方向に対して垂直移動するように結合され、他側が、弾性的に支持され、胴体の直線運動に連動して前記胴体の運動方向に直角方向に運動するラッチボルト組立体と；を含むことを特徴とする安全ドアロックを提供する。
【００１２】
前記胴体及び前記ラッチボルト組立体は、前記胴体に加えられる外部力が除去されるとき、原位置に復帰されることができる。
【００１３】
前記ラッチボルト組立体は、前記胴体及び前記胴体ハウジングを貫通し、移動可能に設置される連結軸と；前記連結軸の一側に結合され、前記胴体の直線運動時に傾斜面と接触しながら連結軸の軸方向に移動し、前記連結軸を前記胴体の運動方向に対して直角方向に移動させるスライダーと；前記連結軸の他側を弾性的に支持し、前記胴体に加えられる外部力が除去されるとき、前記胴体及び前記ラッチボルト組立体を原位置に復帰させるための復元力を提供する弾性体と；前記連結軸の他側の端部に設置され、前記弾性体の復元力によって連結軸の軸方向に往復運動し、ドアのロックまたは開放状態を維持するラッチボルトと；を含む。
【００１４】
前記胴体移動空間は、その断面が楕円形または矩形の形状よりなることができ、その幅は、連結軸の直径より多少大きく、その長さは、連結軸変位の２倍以上で構成されることが好ましい。
【００１５】
前記傾斜面は、単数傾斜面または互いに対向する一対の傾斜面よりなり、相互所定角度を成すように一端が互いに接することが好ましい。
【００１６】
前記一対の傾斜面は、Ｖ字状切欠溝または逆Ｖ字状突出部よりなる。
【００１７】
単数傾斜面が成す角度は、１５゜〜７５゜であり、前記一対の傾斜面が成す角度は、３０゜〜１６０゜であることが好ましい。
【００１８】
前記スライダーは、前記傾斜面と接触する部分が弧形状よりなることができる。
【００１９】
前記連結軸の変位距離は、傾斜面の傾斜角サイズに反比例し、前記胴体の傾斜面の初期位置と頂点位置の高さに比例する。
【００２０】
前記弾性体を収容した状態で前記弾性体が収縮されれば、ラッチボルトを同時に内部に収容するラッチケースをさらに含むことができる。
【００２１】
前記胴体の胴体移動空間は、前記胴体ハウジングの内部でスライディング移動する方向に平行にスロットで形成された第１胴体移動空間と、前記第１胴体移動空間と連結されるように形成され、前記胴体ハウジングの内部でスライディング移動する方向に対して傾斜するようにスロットで形成され、内部面が前記傾斜面として使用される第２胴体移動空間と、を含むことができる。
【００２２】
前記胴体は、第１取っ手が連結される第１面と、前記第１面に対向し、第２取っ手が連結される第２面と、前記第１面及び第２面と隣合う第３面と、前記第３面に対向する第４面と、前記第３面及び第４面と隣合う第５面と、前記第５面に対向する第６面とを含むことができる。この際、前記第１胴体移動空間は、前記第３面及び第４面を垂直で貫通して形成されることができる。前記第２胴体移動空間は、前記第５面及び第６面を貫通して形成されることができる。
【００２３】
前記第２胴体移動空間は、一字形状で形成されることができる。
【００２４】
前記胴体は、前記胴体移動空間が形成され、前記第１取っ手が連結される主胴体と、前記主胴体と一体に形成され、前記第２取っ手が連結される補助胴体とを含むことができる。
【００２５】
前記第２胴体移動空間の両端部に前記ラッチボルト組立体が位置するとき、前記ラッチボルト組立体がドアをロックまたは開放状態に変換させることができる。
【００２６】
前記第２胴体移動空間は、少なくとも１つの屈曲部を有することができる。
【００２７】
前記第１及び第２胴体移動空間の両端部の位置は、実質的に同一であることができる。
【００２８】
前記ラッチボルト組立体は、前記胴体の第２胴体移動空間に設置され、前記第２胴体移動空間に沿って移動し、前記第１及び第２移動空間が会う部分に締結孔が形成されたスライダーと、前記胴体及び前記胴体ハウジングを貫通し、移動可能に設置され、且つ前記胴体の第１胴体移動空間を通過して設置され、前記スライダーの締結孔に固定される連結軸と、前記連結軸の他側を弾性的に支持し、前記胴体に加えられる外部力が除去されるとき、前記胴体及び前記ラッチボルト組立体を原位置に復帰させるための復元力を提供する弾性体と、前記連結軸の他側の端部に設置され、前記弾性体の復元力によって連結軸の軸方向に往復運動し、ドアのロックまたは開放状態を維持するラッチボルトとを含むことができる。
【００２９】
そして、前記スライダーは、前記締結孔が形成されたスライダーロッドと、前記スライダーロッドの両端部に結合され、前記胴体の第２胴体移動空間の傾斜面に沿って移動する一対のベアリングとを含むことができる。
【００３０】
本発明は、また、胴体及びラッチボルト組立体を含むドアロック用力伝達器具を提供する。前記胴体は、胴体ハウジングの内部でスライディング可能になるように設置され、外部から加えられる力によって直線方向に運動し、少なくとも１つの傾斜面と、前記傾斜面に対応する部分に前記直線運動方向と直角方向に設けられる胴体移動空間とを備える。前記ラッチボルト組立体は、一側の端部が、前記胴体移動空間を通過し、前記傾斜面に沿って前記胴体の移動方向に対して垂直移動するように結合され、他側が、弾性的に前記胴体ハウジングに支持され、前記胴体の直線運動に連動して前記胴体の運動方向に直角方向に運動する。
【発明の効果】
【００３１】
したがって、本発明においては、ラッチボルト挿入溝へのラッチボルトの挿入深さを深く調節可能であり、安全性が高くて、二重ロック装置を必要とせず、構成部品数が少ないため、製作工程が簡単であり、耐久性に優れている。
【００３２】
また、本発明においては、現在使用中のドアの追加的な改造を行うことなく、設置可能であり、従来のドアの取っ手だけでなく、多様な形態及びカラーの取っ手を採用することができ、美的特性を発揮することができる。
【図面の簡単な説明】
【００３３】
【図１】図１は本発明の第１実施例による安全ドアロックがクローズされた状態を示す概略図である。
【図２】図２は、図１の安全ドアロックがオープンされた状態を示す概略図である。
【図３】図３は、第１実施例による力伝達器具の組立された状態を示す斜視図である。
【図４】図４は、本発明の第２実施例による安全ドアロックがクローズされた状態を示す概略図である。
【図５】図５は、図４の安全ドアロックがオープンされた状態を示す概略図である。
【図６】図６は、本発明の第３実施例による安全ドアロックがクローズされた状態を示す概略図である。
【図７】図７は、本発明の第４実施例による閉鎖型力伝達器具を示す分解斜視図である。
【図８】図８は、図７の胴体と力伝達器具の組立された状態を示す斜視図である。
【図９】図９は、本発明の第５実施例による閉鎖型力伝達器具の組立された状態を示す斜視図である。
【図１０】図１０は、本発明の第６実施例による胴体を示す斜視図である。
【図１１】図１１は、本発明の第７実施例による胴体を示す斜視図である。
【発明を実施するための形態】
【００３４】
以下、添付の図面を参照して本発明の好ましい実施例を詳しく説明する。
【００３５】
図１は、本発明の第１実施例による安全ドアロックがクローズされた状態を示す概略図であり、図２は、図１の安全ドアロックがオープンされた状態を示す概略図であり、図３は、第１実施例による力伝達器具の組立された状態を示す斜視図である。
【００３６】
図１〜図３を参照すれば、ドアロックは、ドアＤに設置された力伝達器具と、取っ手１ａ、１ｂとを含む。力伝達器具は、胴体８及びラッチボルト組立体８０を含み、胴体ハウジング１１をさらに含むことができる。
【００３７】
このようなドアロックは、ドアＤの両側面を貫通する貫通孔１２が形成された方向に両側面が開放された胴体ハウジング１１と、取っ手１ａ、１ｂを押すかまたは引くことによって、胴体ハウジング１１内で往復運動が可能であり、傾斜面１５がスライダー７に対して滑るように形成されている胴体８と、胴体ハウジング１１を通じて胴体８に連結され、ドアＤの両面外側にそれぞれ突出するように設置される取っ手１ａ、１ｂと、胴体８の往復運動と連動し、胴体８の往復運動方向を垂直方向に転換するように、胴体８の長さ方向に垂直に挿入され、胴体８の長さ方向に沿って移動するラッチボルト組立体８０とを備える。
【００３８】
ラッチボルト組立体８０は、胴体８を貫通する連結軸５の一端に結合され、胴体８の直線運動時にＶ字状溝の傾斜面と接触しながら連結軸５の軸方向に移動し、連結軸５を胴体の運動方向に対して直角方向に移動させるスライダー７と、スライダー７と連結され、胴体８の直線往復運動方向に対して垂直する方向に直線往復運動するように設置される連結軸５と、連結軸５の一端に設置され、連結軸５の往復運動によってラッチボルト挿入溝１６に挿入または離脱するように設置されるラッチボルト２と、ドアＤを開く方向に外力が作用するとき、連結軸５が移動しながら収縮され、その外力が解除されれば、復元力によって連結軸５を逆方向に移動復帰させる弾性体６とで構成される。この際、弾性体６は、胴体ハウジング１１の外側面の連結軸５の両端部のうち少なくともいずれか１ヶ所に装着し、且つラッチボルト２と結合して装着することができる。一方、第１実施例では、弾性体６は、胴体ハウジング１１の外側面に設置された例を開示したが、胴体ハウジング１１の内部面と胴体８の傾斜面１５との間に装着されることができる。
【００３９】
また、ラッチボルト組立体８０は、弾性体６を収容した状態でラッチボルト２を収容可能に形成されたラッチケース４を含む。
【００４０】
胴体８の中央部には、連結軸５の軸方向に垂直するように、例えば、楕円形または矩形の形状の断面形状を有する胴体移動空間９が形成されていて、連結軸５が胴体移動空間９の内部に貫通した状態を維持しながら胴体８の運動方向に対して垂直方向に往復運動する。すなわち胴体移動空間９は、連結軸５を中心に胴体８が移動する空間を意味する。
【００４１】
また、連結軸５が胴体８の運動方向に対して垂直方向に往復運動するとき、連結軸５の搖れを防止し、安定的な往復運動のためにドアに連結軸ガイド１７が形成される。
【００４２】
取っ手１ａ、１ｂは、丸棒、楕円棒またはその他多角形よりなり、従来のドアロックに使用される取っ手をも採用することができる。例えば、取っ手１ａ、１ｂは、胴体８側に形成されている雄ねじ（図示せず）と胴体８に形成されている雌ねじ（図示せず）を通じて胴体８に組立または分離されるようにする。ここで、取っ手１ａ、１ｂは、胴体８を押すかまたは引くことができれば、形状、使用材料及びそのカラーは、便宜性またはデザインによって多様に選定することができる。
【００４３】
取っ手１ａが押されるか、または引かれると、胴体８は、貫通孔１２の内部に設置されている胴体ハウジング１１の内側に沿って両方向に往復運動し、取っ手１ａは、ホルダー１０を貫通し、ホルダー１０は、ホルダー固定手段１０ａによってドアＤに固定される。
【００４４】
従来のプッシュプルドアロックの場合、取っ手がドア面に対して上下方向と水平方向の複合的な運動をし、取っ手の往復運動が様々な部品を通じてラッチボルトに伝達されるので、構造が複雑であるが、本発明によるドアロックは、取っ手がドア面に対して垂直する一方向だけに運動をし、取っ手１ａの往復運動が、取っ手１ａが付着している胴体８を経て直接ラッチボルト２に伝達されるので、構成部品の数が少ない。
【００４５】
胴体ハウジング１１は、ドアＤの両側面を貫通するように形成された貫通孔１２の内部に設置され、取っ手１ａ、１ｂを押すまたは引く外力によって胴体８が胴体ハウジング１１の内壁に沿って往復運動するように、所定長さを有するように設置される。この際、胴体ハウジング１１の断面形状は、円形、楕円形または多角形などで多様にすることができ、製作の容易性を考慮して円形または四角形にすることが好ましい。
【００４６】
一方、胴体ハウジング１１は、図１のように、室内側に’Ｌ’状に加工し、胴体ハウジング固定手段１１ａでドアＤに固定されることによって、胴体８が胴体ハウジング１１の内壁に沿って容易に往復運動するようにすると共に、室外側でドアロックの分離及び解体をすることができないようにして、外部人の無断侵入を防止することができるようにする。
【００４７】
胴体８は、取っ手１ａ、１ｂを押すかまたは引く外力によって胴体ハウジング１１の内壁に沿って直線往復運動し、この際、連結軸５は、傾斜面１５に沿って往復運動するようになる。この際、傾斜面１５は、ラッチボルト組立体８０のスライダー７が連結軸５の軸方向に移動可能になるように平面または曲面よりなる。第１実施例では、傾斜面１５がＶ字状の切欠溝に形成された例を開示した。ラッチボルト組立体８０の連結軸５は、胴体８のＶ字切欠溝が形成された傾斜面１５の安着点１８と２つの頂点１９との間を往復運動し、スライダー７が胴体８に形成された滑走傾斜面１５に続いて接触するようにする。スライダー７が移動する滑走傾斜面１５は、外部に露出する形状となっており、胴体８の側面から見て、スライダー７の移動空間は、開放されている。
【００４８】
ここで、胴体８の往復運動と連動して、胴体８の運動方向に対して連結軸５が垂直方向に往復運動することができるように、胴体８の中央部には、Ｖ字切欠溝が形成された傾斜面１５に垂直するように楕円形または矩形の形状の断面形状を持って連結軸５に垂直する胴体移動空間９が形成されている。
【００４９】
胴体移動空間９は、その幅が連結軸５の直径より少し大きく、その長軸は、ラッチボルト２の変位の２倍以上の断面が楕円形または矩形の形状となっており、連結軸５が胴体移動空間９に貫通した状態を維持しながら、胴体８の直線往復運動方向に対して垂直方向に直線往復運動をすることができるようにする。
【００５０】
ここで、胴体８の傾斜面は、図１または図２のように、Ｖ字状切欠溝で形成することができ、図４または図５のように、逆Ｖ字状突出部で形成することができ、図７のように、単数傾斜面で形成することができる。
【００５１】
傾斜面１５は、互いに対向する一対よりなり、相互所定角度を成すように一端が互いに接することが好ましい。この場合、一対の傾斜面は、Ｖ字状切欠溝（図１及び図２参照）よりなるか、または逆Ｖ字状突出部（図４及び図５参照）よりなることができる。この際、一対の傾斜面が成す角度は、３０゜〜１６０゜であることが好ましい。
【００５２】
この場合、胴体の滑走傾斜面１５、１５ａの角度を小さくし、安着点（初期位置）と頂点との間の高さを大きくすれば、胴体の同一の移動距離に対して連結軸の変位を大きくすることができるので、ラッチボルト挿入溝に挿入されるラッチボルトの挿入深さを深くすることができる。
【００５３】
また、図６の傾斜面１５ｂは、１つの面で構成される単数傾斜面よりなることができ、この際、単数傾斜面が成す角度は、１５゜〜７５゜であることが好ましい。
【００５４】
一方、同一の胴体滑走傾斜面１５、１５ａ、１５ｂの角度に対しても、弾性体６の弾性反発力を小さくすれば、連結軸の押したり引いたりする力を小さくすることができ、滑走傾斜面１５、１５ａ、１５ｂの角度と弾性体６の弾性反発力を組み合わせれば、ユーザの便利性を高めることができる。すなわち、主に乳児や老弱者が使用するドアロックに対しては、弾性力が弱い弾性体を使用し、主に大人が使用するドアロックに対しては、弾性力が高い弾性体を使用することができる。
【００５５】
胴体８は、素材の断面形状が板材、棒材、角材及びパイプなどであるものを使用して加工することができる。
【００５６】
ラッチボルト組立体８０は、胴体８の直線往復運動を垂直往復運動に方向を転換し、ラッチボルト２をラッチボルト挿入溝１６に挿入されるか、またはラッチボルト挿入溝１６から離脱するようにする。ラッチボルト組立体８０は、連結軸５、ラッチボルト２、弾性体６、及びラッチケース４で構成され、連結軸５の一端は、スライダー７と連結され、他端は、ラッチボルト２と連結される。
【００５７】
ラッチボルト２及びガードボルト３は、連結軸５の他端に連結され、連結軸５の往復運動によってラッチボルト挿入溝１６に挿入されるか、またはラッチボルト挿入溝１６から離脱し、ドアＤが開閉されることができるようにし、連結軸５及び弾性体６とともにラッチケース４内に収納される。
【００５８】
現在市販中のドアロックのラッチボルトは、最大１５ｍｍまでラッチボルト挿入溝１６に挿入されるようになっているが、本発明でのラッチボルト２は、滑走傾斜面１５の角度及び胴体８の運動距離によって挿入深さを１５ｍｍ以上に調節することが可能である。
【００５９】
また、例えば、連結軸５に雄ねじを形成し、ラッチボルト２には雌ねじを形成し、ラッチボルト２を連結軸５に連結しても、ラッチボルト２がラッチボルト挿入溝１６に挿入される深さを深くすることができる。
【００６０】
したがって、このような方法でラッチボルト挿入溝に挿入されるラッチボルトの挿入深さを深くすれば、ドライバーのような工具でラッチボルトをラッチボルト挿入溝から離脱させにくいので、安全なドアロックになる。
【００６１】
一方、弾性体６は、コイルスプリング、板スプリング、ゴムなど弾性力を有する素材を使用して製作することができる。
【００６２】
また、ドアには、連結軸５が胴体８の運動方向に対して垂直方向に往復運動するとき、連結軸５の搖れを防止し、安定的な往復運動のために連結軸ガイド１７を形成することができる。
【００６３】
スライダー７は、傾斜面１５に続いて接触し、胴体８の往復運動に対して連結軸５が垂直に往復運動するようにする機能を行う。スライダー７と連結軸５の連結方法は、溶接など多様な方法で行うことができ、図３のように、ボルトＢ及びナットＮの形態にすれば、前記で説明したように、ラッチボルト２がラッチボルト挿入溝１６に挿入される長さを調節することができる。
【００６４】
ホルダー１０は、ドアＤ外部の腕力から胴体８やその他構成部品を保護し、これら構成部品の離脱を防止する役目を担当するものであり、ホルダー１０は、ホルダー固定手段１０ａでドアＤに固定される。また、ホルダー中心部に形成されたホルダーホール１０ｂを通じて取っ手１ａ、１ｂが貫通される。
【００６５】
前記のように構成された本発明によるドアロックの動作を下記で説明する。
【００６６】
まず、ドアＤがクローズされており、取っ手１ａ、１ｂやドアＤにどんな外力が加えられない状態では、図１のように、胴体８が胴体ハウジング１１の中心部に位置し、弾性体６の弾性力によってスライダー７が胴体８のＶ字溝の安着点１８に位置する。この際、連結軸５に連結されたラッチボルト２は、ドアＤの外側に突出し、保持板１４に形成されたラッチボルト挿入溝１６に挿入されているようになり、ドアＤがクローズされた状態を維持するようになる。
【００６７】
図２を参照すれば、ユーザが腕などの身体を使用して取っ手１ａを押せば、胴体８が胴体ハウジング１１の中心部から外側に移動するにつれて、胴体８のＶ字溝の滑走傾斜面１５に沿ってスライダー７が胴体８の安着点１８から側面の頂点１９に引き上げられる場合、スライダー７と連結されている連結軸５は、連結軸ガイド１７側に移動し、弾性体６は収縮する。したがって、突出していたラッチボルト２がラッチボルト挿入溝１６から離脱し、ラッチケース４内に収容される。
【００６８】
このような動作でラッチボルト２がラッチケース４内に入った状態で、ユーザが押したり引いたりする外力によってドアＤが容易に開放される。
【００６９】
ところが、現在市販中のドアロックのラッチボルトは、最大１５ｍｍまでラッチボルト挿入溝１６に挿入されるようになっているが、本発明でのラッチボルト２は、滑走傾斜面１５の角度及び胴体８の運動距離によって挿入深さを１５ｍｍ以上に調節することが可能である。
【００７０】
すなわち、胴体８に形成されている胴体滑走傾斜面１５の角度は、３０〜１６０度の範囲を有し、胴体の滑走傾斜面１５の角度を小さくし、安着点と頂点との間の高さを大きくすれば、連結軸の変位を大きくすることができるので、ラッチボルト挿入溝へのラッチボルトの挿入深さを深くすることができる。したがって、ドライバーのような工具を使用してラッチボルト挿入溝からラッチボルトの離脱を難しくすることによって、二重のロック装置を必要としない安全なドアロックを製作することができるようになる。
【００７１】
反対に、ドアＤがオープンされた後、ユーザが取っ手１ａを押した外力を解除すれば、弾性体６の弾性力によって胴体８が胴体ハウジング１１の中心部に戻り、頂点１９に引き上げられていたスライダー７が胴体８の滑走傾斜面１５に沿って下降し、安着点１８に復帰しつつ、ラッチボルト２がラッチケース４から突出し、さらに図１の状態に復帰し、ドアＤがロック状態になる。
【００７２】
図４は、本発明の第２実施例による安全ドアロックがクローズされた状態を示す概略図であり、図５は、図４の安全ドアロックがオープンされた状態を示す概略図である。
【００７３】
本発明の第２実施例は、胴体８に形成されている滑走傾斜面１５ａが逆Ｖ字状に形成されている差異点を除いて、第１実施例と構成及び動作が同様なので、簡略に説明する。
【００７４】
図４及び図５を参照すれば、ドアＤがクローズされている状態では、図４のように、胴体８は胴体ハウジングの外側に位置し、弾性体６の弾性力によってスライダー７が胴体８の安着点１８ａに配置される。この際、 連結軸５によりスライダー７に連結されたラッチボルト２は、ドアＤの外側に突出し、保持板１４に形成されたラッチボルト挿入溝１６に挿入されているようになり、ドアＤがクローズされた状態を維持するようになる。
【００７５】
このような状態で、ユーザが腕などの身体を使用して取っ手１ｂを押せば、図５に示されたように、胴体８が胴体ハウジング１１の外側から中心部に移動するにつれて、胴体８の滑走傾斜面１５ａに沿ってスライダー７が安着点１８ａから頂点１９ａに引き上げられれば、スライダー７と連結されている連結軸５が図５の連結軸ガイド１７側に移動し、弾性体６は収縮する。
【００７６】
したがって、突出していたラッチボルト２がラッチボルト挿入溝１６から離脱し、ラッチケース４内に収容される。このような動作で、ラッチボルト２がラッチケース４内に入った状態でユーザが押す外力によってドアＤが容易にオープンされる。
【００７７】
同様に、反対の場合は、胴体８が胴体ハウジングの外側に戻り、頂点１９ａにあるスライダー７が胴体８の傾斜面１５ａに沿って安着点１８ａに復帰しつつ、ラッチボルト２がドアＤの外側に突出し、さらにドアＤがロック状態になる。
【００７８】
図６は、本発明の第３実施例による安全ドアロックがクローズされた状態を示す概略図である。
【００７９】
本発明の第３実施例は、胴体８に形成されている滑走傾斜面１５ｂが単数傾斜面で形成されている差異点を除いて、第１実施例及び第２実施例と構成及び動作が同一なので、詳細な説明を省略する。
【００８０】
前記のような機能を円滑に行い、耐久性を高めるための各構成部品の素材としては、その費用を考慮して、エンジニアリングプラスチック、非鉄金属、鉄系金属などを使用することができ、これら構成部品に多様な製造工程が適用されることができる。
【００８１】
本発明によるドアロックは、ラッチボルトの挿入深さを深くして、安全性が高くて、正常人だけでなく、身体が不自由な障がい者、患者及び高年者が容易にドアを開閉することができる。
【００８２】
また、その構造が簡単で、製造費用が低く、現在円筒状またはチューブラー型ドアロックを使用中のドアにも、追加的な改造を行うことなく、付着が可能であり、多様なデザインの取っ手を採用することができるという利点がある。
【００８３】
一方、第１〜第３実施例では、胴体８の一側面に傾斜面１５を形成する例を開示したが、これに限定されるものではない。例えば、図７〜図９に示されたように、胴体８の内部に傾斜面１５を形成することもできる。すなわち、第１〜第３実施例による胴体８は、一側面に傾斜面１５が露出した開放型構造を有し、第４〜第７実施例による胴体８は、傾斜面１５が内部に形成された閉鎖型構造を有する。
【００８４】
図７は、本発明の第４実施例による閉鎖型力伝達器具の胴体８とラッチボルト組立体８０を示す分解斜視図である。図８は、図７の閉鎖型力伝達器具の胴体８とラッチボルト組立体８０間の組立された状態を示す斜視図である。ここで、図７及び図８では、第４実施例による安全ドアロックにおいて胴体８とラッチボルト組立体８０のみを開示し、その他の構造は、第１〜第３実施例による安全ドアロックと同一の構成を有することができる。
【００８５】
胴体８は、内部に傾斜面１５が形成された構成を有する。傾斜面１５は、一字型孔の内部面で形成される。すなわち、胴体８には、胴体移動空間９ａ、９ｂとして第１及び第２胴体移動空間９ａ、９ｂが形成される。第１胴体移動空間９ａは、胴体ハウジングの内部でスライディング移動する方向に平行にスロットで形成される。第２胴体移動空間９ｂは、第１胴体移動空間９ａと連結されるように形成され、胴体ハウジングの内部でスライディング移動する方向に対して傾斜するようにスロットで形成され、内部面が傾斜面１５として使用される。
【００８６】
このような胴体８は、第１取っ手１ａが連結される第１面と、第１面に対向し、第２取っ手１ｂが連結される第２面と、第１面及び第２面と隣合う第３面と、第３面に対向する第４面と、第３面及び第４面と隣合う第５面と、第５面に対向する第６面とを含む。第１胴体移動空間９ａは、第３面及び第４面を垂直に貫通して形成され、胴体ハウジングの内部でスライディング移動する方向に平行にスロットで形成される。第２胴体移動空間９ｂは、第５面及び第６面を貫通して形成され、胴体ハウジングの内部でスライディング移動する方向に対して傾斜するようにスロットで形成され、第２胴体移動空間９ｂの内部面が傾斜面１５として使用される。胴体８がラッチボルト組立体８０の安定的な移動を案内することができるように、第１及び第２胴体移動空間９ａ、９ｂの両端部の位置は、実質的に同一に形成される。第４実施例では、第２胴体移動空間９ｂが一字形状で形成された例を開示した。
【００８７】
一方、胴体８は、取っ手１ａ、１ｂを押すかまたは引く外力によって胴体ハウジングの内壁に沿って直線往復運動し、この際、連結軸５は、胴体８の傾斜面１５の安着点１８と頂点１９との間を往復運動し、スライダー２０が胴体８に形成された滑走傾斜面１５に続いて接触するようにする。この際、安着点１８及び頂点１９は、第２胴体移動空間９ｂの両端部に位置することができる。安着点１８は、ラッチガイド４に近い側に位置する。
【００８８】
ラッチボルト組立体８０は、スライダー２０、連結軸５、弾性体及びラッチボルト２を含む。ラッチガイド４に設置される弾性体及びラッチボルト２は、第１〜第３実施例と同一の構成を有するので、詳細な説明を省略し、スライダー２０と連結軸５を中心に説明すれば、次の通りである。
【００８９】
ここで、弾性体は、胴体ハウジングの両端部のうち少なくともいずれか１ヶ所に装着することができ、ラッチボルト２と結合して装着することができる。
【００９０】
スライダー２０は、胴体８の第２胴体移動空間９ｂに設置され、第２胴体移動空間９ｂによって移動し、第１及び第２移動空間９ａ、９ｂが会う部分に締結孔２３が形成されている。このようなスライダー２０は、締結孔２３が形成されたスライダーロッド２１と、スライダーロッド２１の両端部に結合され、胴体８の第２胴体移動空間９ｂの傾斜面１５に沿って移動する一対のベアリング２５とを含む。
【００９１】
そして、連結軸５は、胴体８及び胴体ハウジングを貫通し、移動可能に設置され、且つ胴体８の第１胴体移動空間９ａを通過して設置される。連結軸５は、スライダー２０の締結孔２３に締結されて固定される。
【００９２】
このような第４実施例による安全ドアロックは、次のように作動する。すなわち取っ手１ａ、１ｂを押すかまたは引く場合、スライダー２０は、傾斜面１５に乗って移動するようになり、これと連動してラッチボルト２をラッチガイド４の内側に移動させる。そして、取っ手１ａ、１ｂを押すかまたは引く力を除去する場合、ラッチガイド４に設置された弾性体の弾性力によってラッチボルト２をラッチガイド４の外側に突出させる。すなわち第４実施例による安全ドアロックは、傾斜面１５が胴体８の内部に形成されたことを除いて、第３実施例による安全ドアロックと同一の方式で作動するようになる。
【００９３】
一方、第４実施例では、第２胴体移動空間９ｂが一字形状で形成された例を開示したが、これに限定されるものではない。例えば、第２胴体移動空間９ｂは、少なくとも１つの屈曲部を有することができる。すなわち、図９に示されたように、第５実施例による安全ドアロックの第２胴体移動空間９ｂは、Ｖ字状の孔の内部面で形成される。
【００９４】
胴体８は、取っ手１ａ、１ｂを押すかまたは引く外力によって胴体ハウジングの内壁に沿って直線往復運動し、この際、連結軸５は、胴体８のＶ字状の傾斜面１５の安着点１８と２つの頂点１９との間を往復運動し、スライダー２０が胴体８に形成された滑走傾斜面１５に続いて接触するようにする。この際、安着点１８は、Ｖ字状の傾斜面１５の谷部分に位置し、頂点は、Ｖ字状の傾斜面１５の両端部に位置することができる。
【００９５】
第２胴体移動空間９ｂの突出した部分は、ラッチガイド４が設置された面から遠い側に形成された例を開示したが、反対に、第１実施例と同様に、近い側に形成することができる。
【００９６】
このような第５実施例による安全ドアロックは、傾斜面１５が胴体８の内部に形成されたことを除いて、第２実施例による安全ドアロックと同一の方式で作動するようになる。
【００９７】
一方、第３及び第４実施例による安全ドアロックの胴体８は、それぞれ、図１０及び図１１に示されたような、胴体８に変形が可能である。すなわち図１０を参照すれば、第６実施例による安全ドアロックは、取っ手１ａ、１ｂを利用した一方の方向だけに使用可能であり、胴体８を中心として対称となるように取っ手１ａ、１ｂを設置することができるように補助胴体８ｂを含むことができる。
【００９８】
胴体８は、胴体移動空間９が形成された主胴体８ａと、主胴体８ａと連結される補助胴体８ｂとを含むことができる。第１取っ手１ａは、主胴体８ａに連結され、第２取っ手１ｂは、補助胴体８ｂに連結することができる。
【００９９】
この際、安着点１８及び頂点１９は、胴体移動空間９の両端部に位置することができる。安着点１８は、ラッチガイドに近い側に設置される。すなわち安着点１８は、補助胴体８ｂと連結される部分に近い側に設置される。
【０１００】
図１１を参照すれば、第７実施例による安全ドアロックは、取っ手１ａ、１ｂを利用した一方方向だけに使用可能であり、胴体８を中心として対称となるように取っ手１ａ、１ｂを設置することができるように補助胴体８ｂを含んでいてもよい。
【０１０１】
胴体８は、胴体移動空間９ａ、９ｂが形成された主胴体８ａと、主胴体８ａに連結される補助胴体８ｂとを含むことができる。第１取っ手１ａは、主胴体８ａに連結され、第２取っ手１ｂは、補助胴体８ｂに連結することができる。
【０１０２】
この際、安着点１８及び頂点１９は、第２胴体移動空間９ｂの両端部に位置することができる。安着点１８は、ラッチガイドに近い側に設置される。すなわち安着点１８は、補助胴体８ｂに連結される部分に近い側に設置される。
【０１０３】
一方、本明細書と図面に開示された実施例は、理解を助けるために特定例を提示したものに過ぎず、本発明の範囲を限定しようとするものではない。ここに開示された実施例以外にも、本発明の技術的思想に基づく他の変形例が実施可能であることは、本発明の属する技術分野における通常の知識を有する者には自明である。
【図１】
0005969055.tif 000002
【図２】
0005969055.tif 000003
【図３】
0005969055.tif 000004
【図４】
0005969055.tif 000005
【図５】
0005969055.tif 000006
【図６】
0005969055.tif 000007
【図７】
0005969055.tif 000008
【図８】
0005969055.tif 000009
【図９】
0005969055.tif 000010
【図１０】
0005969055.tif 000011
【図１１】
0005969055.tif 000012